(57)【要約】      （修正有）【課題】生産効率の高いフレームラミネート機を提供する。【解決手段】フレームラミネート機は、ラック１と、ラック１の上端に設置されたスポンジ巻き戻し装置２と複数のスポンジ案内ローラ２１と、ラック１の中央部で、中回転軸によって、ラック１に固定的に設けられた中軸受けシートの中に回転可能に配置された中央部ラミネートローラ３と、中央部ラミネートローラ３の上端に設置され、且つ中央部ラミネートローラとフィットし、上支持フレームに固定的に設けられた上軸受けシートに、上回転軸を介して、回転可能に配置され上ラミネートローラ６と、ラック１の上端の両側に配置され、上支持フレームの両側はそれぞれ、上スライダを介して摺動設置された上スライドレール、上支持フレームの上端に設置した上ねじスリーブと、ラック１の上端に設けた上減速モータ１３と、上減速モータ１３のシャフト１４に配置され、上ねじスリーブとフィットする上スクリュー１５と、を含む。【選択図】図１
0003221878.tif 000002
【実用新案登録請求の範囲】
【請求項１】
フレームラミネート機であって、ラック（１）を含み、前記ラック（１）の上端にスポンジ巻き戻し装置（２）と複数のスポンジ案内ローラ（２１）が設置され、前記ラック（１）の中央部には中央部ラミネートローラ（３）が設置され、該中央部ラミネートローラ（３）は中回転軸（４）によって、前記ラック（１）に固定的に設けられた中軸受けシート（５）の中に回転可能に配置され、
前記中央部ラミネートローラ（３）の上端に、該中央部ラミネートローラ（３）とフィットし、且つ上回転軸（７）を介して、上支持フレーム（９）に固定的に設けられた上軸受けシート（８）に回転可能に配置された上ラミネートローラ（６）が設けられ、
前記ラック（１）の上端の両側には上スライドレール（１０）が設置され、前記上支持フレーム（９）の両側はそれぞれ上スライダ（１１）によって上スライドレール（１０）に摺動設置され、
前記上支持フレーム（９）の上端に上ねじスリーブ（１２）が設置され、前記ラック（１）の上端に上減速モータ（１３）が設けられ、前記上減速モータ（１３）のシャフト（１４）には、前記上ねじスリーブ（１２）とフィットする上スクリュー（１５）が配置され、
前記中央部ラミネートローラ（３）の下端には該中央部ラミネートローラ（３）とフィットする下ラミネートローラ（１６）が設置され、該下ラミネートローラ（１６）は下回転軸（１７）を介して、下支持フレーム（１９）に固定的に設けられた下軸受けシート（１８）に回転可能に配置され、
前記ラック（１）の下端の両側には下スライドレール（２０）が設置され、前記下支持フレーム（１９）の両側はそれぞれ、下スライダ（２１）によって下スライドレール（２０）に摺動設置され、
前記下支持フレーム（１９）の下端には下ねじスリーブ（２２）が設置され、前記ラック（１）の下端には下減速モータ（２３）が設けられ、該下減速モータ（２３）のシャフト（２４）には、前記下ねじスリーブ（２２）とフィットする下スクリュー（２５）が設けられ、
前記中央部ラミネートローラ（３）の右側のラック（１）に第一フレームバーナー（２６）と第一ラミネートファブリック巻き戻し装置（２７）が配置され、前記第一ラミネートファブリック巻き戻し装置（２７）と中央部ラミネートローラ（３）との間に、複数の第一ラミネートファブリック案内ローラ（２８）が均一に設けられ、前記下ラミネートローラ（１６）の左側のラック（１）に第二フレームバーナー（２９）と第二ラミネートファブリック巻き戻し装置（３０）が配置され、前記第二ラミネートファブリック巻き戻し装置（３０）と下ラミネートローラ（１６）との間に、複数の第二ラミネートファブリック案内ローラ（３１）が均一に設けられ、前記ラック（１）の下端に、複数の送り案内ローラ（３２）が均一に設置され、前記ラック（１）にはさらに、前記第一フレームバーナー（２６）とフィットする第一煙除去装置（３３）と、前記第二フレームバーナー（２９）とフィットする第二煙除去装置（３４）とが均一に設置され、
前記第一煙除去装置（３３）と第二煙除去装置（３４）の上端はそれぞれ、吸煙ファン（３６）の吸気口と接続された主吸煙管（３５）と連結され、
前記吸煙ファン（３６）の排気口は接続された煙突（３７）に連結され、該煙突（３７）には排気浄化装置（３８）が設けられ、
前記第一煙除去装置（３３）と前記第二煙除去装置（３４）とは同じ構造に構成され、
前記第一煙除去装置（３３）は、前記第一フレームバーナー（２６）上端のラック（１）に配置された上ガード板（３３１）と、前記第一フレームバーナー（２６）の両側のラック（１）に配置された各々のサイドガード板（３３２）を含み、前記上ガード板（３３１）の中には、前記第一フレームバーナー（２６）とフィットする上台形吸煙チャンバ（３３３）が配置され、該上台形吸煙チャンバ（３３３）は上吸煙管（３３４）を介して主吸煙管（３５）に連通され、前記サイドガード板（３３２）の中には、前記第一フレームバーナー（２６）とフィットするサイド台形吸煙チャンバ（３３５）が配置され、前記サイド台形吸煙チャンバ（３３５）はサイド吸煙管（３３６）を介して上吸煙管（３３４）に連通する、ことを特徴とするフレームラミネート機。
【考案の詳細な説明】
【技術分野】
【０００１】
本考案は、ラミネート装置に関し、特にフレームラミネート機に関する。
【背景技術】
【０００２】
ラミネート材料は、カーインテリア、工業用テキスタイル、家庭用品、医療保護などの業種で広く応用されている。現在、各種のラミネート技術において、環境に優しく、省エネで、貼合効果の良いフレームラミネーションを採用するフレームラミネート機は、例えば、スポンジと布、或はスポンジとメッシュ布とのラミネーションなど、二層材料のラミネーションに用いるシンプルタイプが多いが、特殊なファブリックのラミネーションに対して、三種類の一回ラミネーションで加工し成型させる必要は高く、従来の、一回目のラミネーションを完了後、さらに二回目のラミネーションを行うラミネート方法は、二回のラミネーションを必要とし、作業量が大きく、効率も低く、不良率が高く損失も多い他、従来のフレームラミネート機について、ラミネートローラ間の隙間の調節ができないため、厚くて薄いラミネート材料には適応不能で、より限定されており、また、従来のフレームラミネート機では、ラミネート材料に燃焼ラミネーションを実施中に生じた様々な有害気体を直ちに放出できないと、作業環境に深刻な影響を及ぼし、作業者の健康を損ねてしまう可能性がある。
【考案の概要】
【考案が解決しようとする課題】
【０００３】
本考案の解決しようとする技術的課題は、生産効率の高いフレームラミネート機を提供することである。
【０００４】
上記の技術的課題を解決するために、本考案はフレームラミネート機を提供する。前記フレームラミネート機はラックを含み、前記ラックの上端にスポンジ巻き戻し装置と複数のスポンジ案内ローラが設置され、前記ラックの中央部で、中央部ラミネートローラは中回転軸によって、前記ラックに固定的に設けられた中軸受けシートの中央部に回転可能に配置され、前記中央部ラミネートローラの上端には、該中央部ラミネートローラとフィットし、且つ上回転軸を介して、上支持フレームに固定的に設けられた上軸受けシートに回転可能に配置された上ラミネートローラが設けられ、前記ラックの上端の両側に配置された上スライドレールの中に、前記上支持フレームの両側はそれぞれ上スライダによって摺動設置され、前記上支持フレームの上端に上ねじスリーブが設置され、前記ラックの上端に上減速モータが設けられ、前記上減速モータのシャフトには、前記上ねじスリーブとフィットする上スクリューが配置され、前記中央部ラミネートローラの下端に設置され、且つ該中央部ラミネートローラとフィットする下ラミネートローラは、下回転軸を介して、下支持フレームに固定的に設けられた下軸受けシートに回転可能に配置され、前記ラックの下端の両側に配置された下スライドレールの中には、前記下支持フレームの両側はそれぞれ、下スライダによって摺動設置され、前記上支持フレームの下端には下ねじスリーブが設置され、前記ラックの下端に設けられた下減速モータのシャフトには、前記下ねじスリーブとフィットする下スクリューが設けられ、前記中央部ラミネートローラの右側のラックに第一フレームバーナーと第一ラミネートファブリック巻き戻し装置が配置され、前記第一ラミネートファブリック巻き戻し装置と中央部ラミネートローラとの間に、複数の第一ラミネートファブリック案内ローラが均一に設けられ、前記下ラミネートローラの左側のラックに第二フレームバーナーと第二ラミネートファブリック巻き戻し装置が配置され、前記第二ラミネートファブリック巻き戻し装置と下ラミネートローラとの間に、複数の第二ラミネートファブリック案内ローラが均一に設けられ、前記ラックの下端に、複数の送り案内ローラが均一に設置され、前記ラックにはさらに、前記第一フレームバーナーとフィットする第一煙除去装置と、前記第二フレームバーナーとフィットする第二煙除去装置とを均一に備え、前記第一煙除去装置と第二煙除去装置の上端はそれぞれ、吸煙ファンの吸気口と接続された主吸煙管と連結され、前記吸煙ファンの排気口と接続された煙突３７には排気浄化装置が設けられ、前記第一煙除去装置と前記第二煙除去装置とは同じように構成され、ここで、前記第一煙除去装置（３３）は、前記第一フレームバーナー上端のラックに配置された上ガード板と、前記第一フレームバーナーの両側のラック１に配置された各々のサイドガード板と、前記上ガード板の中に、前記第一フレームバーナーとフィットするように配置され、上吸煙管を介して主吸煙管に連通した上台形吸煙チャンバと、前記サイドガード板の中に、前記第一フレームバーナーとフィットするように配置され、サイド吸煙管を介して、上吸煙管に連通したサイド台形吸煙チャンバと、を含む。
【０００５】
本考案は、二重フレームノズルでラミネートする上記フレームラミネート機によって、三層の材料を同時にラミネートでき、一回目を完了後、さらに二回目のラミネーションを行う従来のラミネート方法を回避し、作業量を大幅に低下させ、生産効率を向上させる他、各ラミネートローラ間の隙間をいつでも調節することができ、厚くて薄いラミネート材料への応用も可能であり、適用範囲が広く、便利に使用でき、また、ラミネート中、ラミネート機に生じた有害気体の吸収・浄化・排出を実現でき、安全で環境に優しく、作業者のために健康な作業環境も提供することができる、という利点を有する。
【図面の簡単な説明】
【０００６】
【図１】本考案のフレームラミネート機の構造図である。
【図２】図１における上ラミネートローラ、中央部ラミネートローラと下ラミネートローラの側面設置構造図である。
【図３】図１における第一煙除去装置の側面構造拡大図である。
【考案を実施するための形態】
【０００７】
以下、図面と具体的実施様態を結合して本考案の内容を詳細に説明する。
【０００８】
図１、図２、図３に示すように、フレームラミネート機は、ラック１を含み、前記ラック１の上端にスポンジ巻き戻し装置２と複数のスポンジ案内ローラ２１が設置され、前記ラック１の中央部には、中央部ラミネートローラ３が設けられ、該中央部ラミネートローラ３は中回転軸４によって中軸受けシート５の中に回転可能に配置され、該中軸受けシート５は前記ラック１に固定的に設けられる。前記中央部ラミネートローラ３の上端には、該中央部ラミネートローラ３とフィットする上ラミネートローラ６が設けられ、該上ラミネートローラ６は上回転軸７を介して、上支持フレーム９に固定的に設けられた上軸受けシート８に回転可能に配置される。前記ラック１の上端の両側に配置された上スライドレール１０が設けられ、前記上支持フレーム９の両側はそれぞれ上スライダ１１によって上スライドレール１０に摺動設置される。前記上支持フレーム９の上端に上ねじスリーブ１２が設置され、前記ラック１の上端に上減速モータ１３が設けられ、前記上減速モータ１３のシャフト１４には、前記上ねじスリーブ１２とフィットする上スクリュー１５が配置される。前記中央部ラミネートローラ３の下端には中央部ラミネートローラ３とフィットする下ラミネートローラ１６が設置され、該下ラミネートローラ１６は下回転軸１７を介して下軸受けシート１８に回転可能に配置され、下軸受けシート１８は下支持フレーム１９に固定的に設けられる。前記ラック１の下端の両側には下スライドレール２０が設けられ、前記下支持フレーム１９の両側はそれぞれ下スライダ２１によって下スライドレール２０内に摺動設置される。前記下支持フレーム１９の下端には下ねじスリーブ２２が設置され、前記ラック１の下端には下減速モータ２３が設けられ、該下減速モータ２３のシャフト２４には、前記下ねじスリーブ２２とフィットする下スクリュー２５が設けられる。前記中央部ラミネートローラ３の右側のラック１に第一フレームバーナー２６と第一ラミネートファブリック巻き戻し装置２７が配置され、前記第一ラミネートファブリック巻き戻し装置２７と中央部ラミネートローラ３との間に、複数の第一ラミネートファブリック案内ローラ２８が均一に設けられ、前記下ラミネートローラ１６の左側のラック１に第二フレームバーナー２９と第二ラミネートファブリック巻き戻し装置３０が配置され、前記第二ラミネートファブリック巻き戻し装置３０と下ラミネートローラ１６との間に、複数の第二ラミネートファブリック案内ローラ３１が均一に設けられ、前記ラック１の下端に、複数の送り案内ローラ３２が均一に設置され、前記ラック１にはさらに、前記第一フレームバーナー２６とフィットする第一煙除去装置３３と、前記第二フレームバーナー２９とフィットする第二煙除去装置３４とが均一に設けられる。前記第一煙除去装置３３と第二煙除去装置３４の上端はそれぞれ、吸煙ファン３６の吸気口に接続された主吸煙管３５と連結され、前記吸煙ファン３６の排気口は煙突３７に接続され、煙突３７に排気浄化装置３８が設けられる。前記第一煙除去装置３３と前記第二煙除去装置３４とは同じ構造をなし、前記第一煙除去装置３３は、前記第一フレームバーナー２６上端のラック１に配置された上ガード板３３１と、前記第一フレームバーナー２６の両側のラック１に配置された各々のサイドガード板３３２を含み、前記上ガード板３３１の中には、前記第一フレームバーナー２６とフィットする上台形吸煙チャンバ３３３が配置され、前記上台形吸煙チャンバ３３３は上吸煙管３３４を介して主吸煙管３５に連通される。前記サイドガード板３３２の中には、前記第一フレームバーナー２６とフィットするサイド台形吸煙チャンバ３３５が配置され、該サイド台形吸煙チャンバ３３５はサイド吸煙管３３６を介して上吸煙管３３４に連通される。
【０００９】
上記フレームラミネート機は使用時、スポンジ材料が巻き戻し装置２で巻かれた後、複数の案内ローラ２１によって、上ラミネートローラ６と中央部ラミネートローラ３との間に入る。第一層のラミネートファブリックはラック１の右側から、第一ラミネートファブリック巻き装置２７で巻かれた後、第一ラミネートファブリック案内ローラ２８によって、上ラミネートローラ６と中央部ラミネートローラ３との間に入る。第一層のラミネートファブリックはラック１の右側の第一フレームバーナー２６で燃焼した後、スポンジ材料にラミネートされ、完了後の二層のラミネート材料は中央部ラミネートローラ３と下ラミネートローラ１６との間に入る。第二層のラミネートファブリックはラック１の左側から、第二ラミネートファブリック巻き装置３０で巻かれた後、第二ラミネートファブリック案内ローラ３１によって、中央部ラミネートローラ３と下ラミネートローラ１６との間に入り、第二層のラミネートファブリックはラック１の左側の第二フレームバーナー２９で燃焼した後、スポンジ材料と第一層ラミネートファブリックにラミネートされ、完了後の三層のラミネート材料製品はラック１の下端にある複数の送り案内ローラ３２を介して、前記ラック１の外へ導出され、それで、三種の材料のオールインワンラミネート成型を実現する。第一煙除去装置３３が前記第一フレームバーナー２６に対して煙の除去を行う時、吸煙ファン３６を起動させ、前記第一フレームバーナー２６でラミネート材料を燃焼した後、中に生じた有害気体は、上から、上ガード板３３１にある上台形吸煙チャンバ３３３の中に進入するとともに、側面からサイドガード板３３２にあるサイド台形吸煙チャンバ３３５の中に進入し、前記上台形吸煙チャンバ３３３に入った有害気体は上吸煙管３３４を通じて、主吸煙管３５の中に入り、前記サイド台形吸煙チャンバ３３５の中に入った有害気体はサイド吸煙管３３６を通じて、前記上吸煙管３３４に入った後、さらに主吸煙管３５の中に入り、吸煙ファン３６は前記有害気体を排気浄化装置３８に吸入し且つ浄化してから、煙突３７から排出する。第一煙除去装置３３と第二煙除去装置３４とは構造が一致し、第二煙除去装置３４は第二フレームバーナー２９の排気を除去する。
【００１０】
前記フレームラミネート機のラミネートローラ間の隙間を調節する場合、上ラミネートローラ６と中央部ラミネートローラ３との隙間を調節する時、上減速モータ１３を起動させ、上減速モータ１３のシャフト１４が上スクリュー１５を駆動して回転させる。上ねじスリーブ１２が、フィットする上スクリュー１５上を上下に移動し、上ねじスリーブ１２が上支持フレーム９の上下移動を駆動し、前記上支持フレーム９が上スライダ１１で上スライドレール１０の中に滑り、且つ上軸受けシート８と連動して上下に移動させ、前記上軸受けシート８が上回転軸７を上下に移動させる。それにより、上ラミネートローラ６を上下に移動させることで、上ラミネートローラ６と中央部ラミネートローラ３との隙間を調節して、厚くて薄いラミネート材料に適用する。下ラミネートローラ１６と中央部ラミネートローラ３との隙間を調節する時、下減速モータ２３を起動させ、下減速モータ２３のシャフト２４が下スクリュー２５を駆動して回転させ、下ねじスリーブ２２が、フィットする下スクリュー２５上を上下に移動し、下ねじスリーブ２２が下支持フレーム１９の上下移動を駆動し、前記下支持フレーム１９が下スライダ２１で下スライドレール２０の中に滑り、且つ下軸受けシート１８と連動して上下に移動させ、前記下軸受けシート１８が下回転軸１７を上下に移動させ、それにより、下ラミネートローラ１６を上下に移動させることで、下ラミネートローラ１６と中央部ラミネートローラ３との隙間を調節して、厚くて薄いラミネート材料に適用する。
【００１１】
上記フレームラミネート機は二重フレームノズルでラミネートし、三層の材料を同時にラミネートでき、一回目を完了後、さらに二回目のラミネーションを行う従来のラミネート方法を回避し、作業量を大幅に低下させ、生産効率を向上させる他、各ラミネートローラ間の隙間をいつでも調節することができ、厚くて薄いラミネート材料への応用も可能であり、適用範囲が広く、便利に使用でき、また、ラミネート中、ラミネート機に生じた有害気体の吸収・浄化・排出を実現でき、安全で環境に優しく、作業者のために健康な作業環境も提供することができる。
【符号の説明】
【００１２】
１．ラック、２．スポンジ巻き戻し装置、２１．スポンジ案内ローラ、３．中央部ラミネートローラ、４．中回転軸、５．中軸受けシート、６．上ラミネートローラ、７．上回転軸、８．上軸受けシート、９．上支持フレーム、１０．上スライドレール、１１．上スライダ、１２．上ねじスリーブ、１３．上減速モータ、１４．シャフト、１５．上スクリュー、１６．下ラミネートローラ、１７．下回転軸、１８．下軸受けシート、１９．下支持フレーム、２０．下スライドレール、２１．下スライダ、２２．下ねじスリーブ、２３．下減速モータ、２４．シャフト、２５．下スクリュー、２６．第一フレームバーナー、２７．第一ラミネートファブリック巻き戻し装置、２８．第一ラミネートファブリック案内ローラ、２９．第二フレームバーナー、３０．第二ラミネートファブリック巻き戻し装置、３１．第二ラミネートファブリック案内ローラ、３２．送り案内ローラ、３３．第一煙除去装置、３３１．上ガード板、３３２．サイドガード板、３３３．上台形吸煙チャンバ、３３４．上吸煙管、３３５．サイド台形吸煙チャンバ、３３６．サイド吸煙管、３４．第二煙除去装置、３５．主吸煙管、３６．吸煙ファン、３７．煙突、３８．排気浄化装置。
【図１】
0003221878.tif 000003
【図２】
0003221878.tif 000004
【図３】
0003221878.tif 000005